(57)【要約】【課題】電線を把持する引留クランプの腐食を効果的に遅らすことができ、既設の電線に対しても容易に取り付けることが可能な水切り装置を提供する。【解決手段】水切り装置は、電線を側方から挟み込む２つの分割部材によって構成される。それぞれの分割部材は、他方の分割部材と対峙する対峙面に電線を受け入れる係合溝を形成し、外周面に係合溝の軸線方向に沿って第１の半円錐面と第２の半円錐面とを連続的に形成する。第１の半円錐面を係合溝から該係合溝に対して所定の傾斜角で延在させて構成し、第２の半円錐面を第１の半円錐面に続いて形成し、該第１の半円錐面の傾斜角よりも大きい傾斜角で延在させて構成して水切りを良くする。第２の半円錐面には、第１の半円錐面との境から外縁にかけて対峙面と略平行に延在させた複数の誘導溝を並設し、下方への水の移動を促進させる。【選択図】  図２
2017055471.tif 000002
【特許請求の範囲】
【請求項１】
線状体に取り付けられて、前記線状体を伝って流れる水を遮り落下させる水切り装置であって、
前記線状体に対して側方から挟み込む２つの分割部材によって構成され、
それぞれの前記分割部材は、他方の分割部材と対峙する対峙面に前記線状体を受け入れる係合溝を形成し、
外周面に前記係合溝の軸線方向に沿って第１の半円錐面と第２の半円錐面とを連続的に形成し、
前記第１の半円錐面を前記係合溝から該係合溝に対して所定の傾斜角で延在させて構成し、前記第２の半円錐面を前記第１の半円錐面の傾斜角よりも大きい傾斜角で延在させて構成し、
前記２つの分割部材を前記線状体を挟み込んだ状態で結合手段により固定することを特徴とする水切り装置。
【請求項２】
前記第２の半円錐面には、前記第１の半円錐面との境から外縁にかけて前記対峙面と略平行に延在させた複数の誘導溝が並設されていることを特徴とする請求項１記載の水切り装置。
【請求項３】
前記２つの分割部材は、それぞれの前記対峙面を略鉛直にした状態で前記線状体に取り付けられ、間に弾性部材を介在させて気密に付き合わされることを特徴とする請求項１又は２記載の水切り装置。
【請求項４】
それぞれの分割部材は、他方の分割部材と対峙する側と反対側の外周面が部分的に平坦面に形成され、この平坦面に前記結合手段を構成するボルトを挿通させる通孔が開口していることを特徴とする請求項１乃至３のいずれかに記載の水切り装置。
【発明の詳細な説明】
【技術分野】
【０００１】
この発明は、電線などの線状体に取り付けられて、線状体を伝って流れる水を遮り落下させる水切り装置に関し、特に、水の重力による落下を促進させて水切り効果を高めた水切り装置に関する。
【背景技術】
【０００２】
電線を張架して支持する耐張用の送電線鉄塔１００には、図５に示されるように、腕金１０１の両側に，電線１０２を把持する引留クランプ１１０及び耐張用のがいし装置１２０を介して電線１０２が取付けられている。
【０００３】
より具体的には、鉄塔間に架設された電線１０２を、引留クランプ１１０によってその端部付近を把持すると共にこの引留クランプ１１０を挿通させて端部を下方に延在させ、この下方に延在させた端部にジャンパ線１０３の端部を接続し、鉄塔１００の両側で引留クランプ１１０及びがいし装置１２０を介して張架された電線１０２を鉄塔１００の側部に吊架されたジャンパ線１０３で電気的に接続するようにしている。
【０００４】
引留クランプ１１０は、例えば、ボルト締付け型のもので、円弧状に湾曲させて電線１０２を沿わせる電線支持部１１１を備え、この電線支持部１１１の電線を沿わせる湾曲面に断面Ｕ字状の電線受け溝が形成されている。そして、この電線受け溝に電線１０２を這わせて、電線受け溝の開放側からボルト等による締付け部材１１２により電線１０２を電線支持部１１１に押し付け、把持するようにしている。
なお、がいし装置１２０は、耐張碍子連１２１、アークホーン１２２、接続金物１２３などの複数の部材を組み合わせて構成されている。
【０００５】
ところで、上述の引留クランプ１１０は隣接する鉄塔の高低差による電線の勾配により，正吊クランプ１１０−１と逆吊クランプ１１０−２の２種類に区別される。鉄塔の高低差が大きい箇所では，雨水が電線１０２を伝わって低い側の鉄塔に向かって流れるため，逆吊クランプ１１０−２は，正吊クランプ１１０−１と比べて、接する雨水の量が多くなる。
【０００６】
このため，同時期に設置したクランプ１１０であっても，逆吊クランプ１１０−２のほうが正吊クランプ１１０−１と比べて，腐食による劣化の進行が早まるという問題が生じている。
【０００７】
このような腐食に対処するため、引留クランプ１１０に設けられた電線支持部１１１の電線受け溝に、侵入した雨水を外部へ排出するための雨水排出溝を設けるようすることなどが考えられている（特許文献１参照）。
【先行技術文献】
【特許文献】
【０００８】
【特許文献１】特開２００２−２２３５１８号公報
【発明の概要】
【発明が解決しようとする課題】
【０００９】
しかしながら、電線受け溝に雨水排出溝を設けた場合であっても、引留クランプ１１０に電線１０２を伝って導かれる雨水の量が減るわけではないので、多くの雨水が引留クランプ１１０に供給されることになり、また電線１０２と接触していない電線支持部１１１の外側の部分にあっては、雨水排出溝による効果は期待することができないため、従来と同程度の速さで腐食することになり、十分な腐食防止の効果が得られるものではなかった。
【００１０】
また、電線受け溝に雨水排出溝を設けるためには、既設の引留クランプ１１０を一旦取り外して雨水排出溝が形成された引留クランプを取り付ける必要があり、既設の設備に対しては現実的な対応ではない。
【００１１】
本発明は、係る事情に鑑みてなされたものであり、引留クランプの腐食を効果的に遅らすことができ、また、既設の電線等の線状体に対しても容易に取り付けることが可能な水切り装置を提供することを主たる課題としている。
【課題を解決するための手段】
【００１２】
上記課題を達成するために、本発明に係る水切り装置は、線状体に取り付けられて、前記線状体を伝って流れる水を遮り落下させる水切り装置であって、前記線状体に対して側方から挟み込む２つの分割部材によって構成され、それぞれの前記分割部材は、他方の分割部材と対峙する対峙面に前記線状体を受け入れる係合溝を形成し、外周面に前記係合溝の軸線方向に沿って第１の半円錐面と第２の半円錐面とを連続的に形成し、前記第１の半円錐面を前記係合溝から該係合溝に対して所定の傾斜角で延在させて構成し、前記第２の半円錐面を前記第１の半円錐面に続いて形成され、該第１の半円錐面の傾斜角よりも大きい傾斜角で延在させて構成し、前記２つの分割部材を前記線状体を挟み込んだ状態で結合手段により固定することを特徴としている。
【００１３】
したがって、勾配がある線状体に対して第１の半円錐面を第２の半円錐面より上側となるように２つの分割部材で線状体を挟み込み、結合手段によって挟み込んだ状態を固定すれば、既設の電線等の線状体に対しても即座に水切り装置を取り付けることができる。
そして、線状体に水切り装置が取付けられた状態においては、上側から線状体を伝って流れてきた水は、水切り装置に差し掛かると、第１の半円錐面を伝って流れるので、線状体よりも大きい勾配の面を伝って下方へ流れるようになり、その後、第２の半円錐面に差し掛かると、さらに勾配の大きい面を伝って下方へ流れるので、水切り装置の表面から落下しやすいものとなる。
【００１４】
ここで、第２の半円錐面には、前記第１の半円錐面との境から外縁にかけて対峙面と略平行に延在させた複数の誘導溝を並設するようにしてもよい。
このような構成においては、分割部材の対峙面を鉛直方向に沿って取り付けることで、第２の半円錐面に差し掛かった水を誘導溝を伝って下方に向けて誘導することができ、水切り装置の表面を伝って流れる水の下方への移動を促進させることが可能となる。
【００１５】
なお、２つの分割部材は、それぞれの対峙面を略鉛直にした状態で線状体に取り付けられる場合にあっては、分割部材の間の隙間を介して水が下流側へ流れることも考えられるので、２つの分割部材の間に弾性部材を介在させて気密に付き合わせるようにするとよい。
【００１６】
また、それぞれの分割部材は、他方の分割部材と対峙する側と反対側の外周面を部分的に平坦面に形成し、この平坦面に前記結合手段を構成するボルトを挿通させる通孔を開口させるとよい。
このような構成によれば、結合手段としてボルトを用いる場合でも、平坦面上での作業となり、容易かつ確実に結合作業を行うことができ、また、安定した結合状態を得ることが可能となる。
【発明の効果】
【００１７】
以上述べたように、本発明の水切り装置によれば、線状体に対して側方から挟み込む２つの分割部材によって構成し、それぞれの分割部材について、他方の分割部材と対峙する対峙面に線状体を受け入れる係合溝を形成し、外周面に係合溝の軸線方向に沿って連続する第１の半円錐面と第２の半円錐面とを形成し、第１の半円錐面を係合溝から該係合溝に対して所定の傾斜角で延在させて構成し、また、第２の半円錐面を第１の半円錐面の傾斜角よりも大きい傾斜角で延在させて構成し、このような２つの分割部材を線状体を挟み込んだ状態で結合手段により固定するようにしたので、既設の電線等の線状体に対しても容易に取り付けることができ、また、線状体を伝って流れる水を２段階の半円錐面で徐々に鉛直な面に近づけ、落下させやすくすることができ、水切り装置の下流側へ流れる水を無くすことが可能となる。その結果、引留クランプの上側となる電線に設置すれば、引留クランプの腐食を効果的に遅らすことが可能となる。
【００１８】
また、第２の半円錐面に、第１の半円錐面との境から外縁にかけて対峙面と略平行に延在させた複数の誘導溝を並設することで、この誘導溝を伝って水を下方へ導きやすくなり、水の下方への流れが促進されて、水をより効果的に落下させることが可能となる。
【００１９】
さらに、２つの分割部材を、それぞれの対峙面を略鉛直にした状態で線状体に取り付ける場合において、間に弾性部材を介在させて気密に付き合わせるように取り付けることで、分割部材間を流れる水を無くすことが可能となり、下流側へ流れる水をより効果的に遮ることが可能となる。
【００２０】
さらにまた、それぞれの分割部材は、他方の分割部材と対峙する側と反対側の外周面を部分的に平坦面に形成し、この平坦面に結合手段を構成するボルトを挿通させる通孔を開口させることで、水切り装置の取り付け作業が容易となり、また、ボルトの締付け状態が不十分になることがなくなり、安定した取り付け状態を確保することが可能となる。
【図面の簡単な説明】
【００２１】
【図１】図１は、本発明に係る水切り装置を電線のクランプ近傍に取り付けた状態を示す図である。
【図２】図２は、本発明に係る水切り装置を電線に取り付けた状態を示す図であり、（ａ）はその側面図、（ｂ）は、電線の軸方向から見た図、（ｃ）はその斜視図である。
【図３】図３は、水切り装置の第２のテーパ部に設けられた誘導溝の構成例を示す図である。
【図４】図４は、傾斜する電線に本発明に係る水切り装置を取り付けて水を遮り落下させる様子を説明する図である。
【図５】図５は、電線を鉄塔に取り付けた状態を説明する図である。
【発明を実施するための形態】
【００２２】
以下、本発明の実施形態を図面に基づき詳述する。
【００２３】
図１において、本発明に係る水切り装置１を、鉄塔間に傾斜して架設された硬銅より線からなる電線１０２の逆吊クランプ１１０−２の上側近傍に設けた状態が示されている。
電線１０２は、引留クランプ１１０に把持されて固定され、この引留クランプ１１０を耐張用のがいし装置１２０を介して図示しない鉄塔の腕金に取り付けられている。
【００２４】
引留クランプ１１０は、例えば、金属材料で形成されたボルト締付け型のそれ自体公知のもので、円弧状に湾曲させて電線１０２を沿わせる電線支持部１１１を備え、この電線支持部１１１に電線１０２を沿わせるための断面Ｕ字状の電線受け溝１１３が形成されている。電線支持部１１１の電線受け溝１１３の開放側には、この電線受け溝１１３に這わせた電線１０２を電線受け溝１１３の開放側から締め付ける締付け部材１１２が設けられている。この締付け部材１１２は、電線１０２を電線支持部１１１にクランプする押え金具１１４で電線１０２を電線支持部１１１との間で挟み込み、この押え金具１１４をボルト１１５とナット１１６で締付け、電線１０２を電線支持部１１１に押し付け把持固定するものである。この例では、締付け部材１１２は電線受け溝１１３に沿って３箇所に設けられている。
また、がいし装置１２０も、それ自体公知のもので、耐張碍子連１２１、アークホーン１２２、及び接続金物１２３を組み合わせて構成されている。
【００２５】
水切り装置１は、前記引留クランプ１１０よりも上側に位置する電線１０２の部位（電線を伝って流れる水の方向に対して引留クランプ１１０より上流側の少し離れた電線１０２の部位）に取り付けられている。
【００２６】
この水切り装置１は、図２に示されるように、電線を側方から挟み込む２つの分割部材２によって構成されているもので、それぞれの分割部材２には、他方の分割部材と対峙する対峙面３に電線１０２を受け入れる係合溝４が形成されている。
【００２７】
それぞれの分割部材２の外周面には、係合溝４の軸線方向に沿って第１の半円錐面５と第２の半円錐面６とが連続的に形成されている。
【００２８】
第１の半円錐面５は、係合溝４から該係合溝４に対して所定の傾斜角で延在させたテーパ状曲面で構成されている。すなわち、先端が係合溝４と等しい曲率半径に形成され、末端がそれより大きい曲率半径に形成され、中間部は先端から末端にかけて連続的に徐々に曲率半径が大きくなるように形成されている。
【００２９】
これに対して、第２の半円錐面６は、第１の半円錐面５に続いて形成され、第１の半円錐面５の傾斜角よりも大きい傾斜角で延在されたテーパ状曲面で構成されている。すなわち、第１の半円錐面５との連接端が第１の半円錐面５の末端の曲率半径と一致し、この連結端から急激に末広がりとなり、末端が最も大きい曲率半径に形成されている。
【００３０】
また、それぞれの分割部材２の第２の半円錐面６には、第１の半円錐面５との境から外縁にかけて延び、対峙面３と略平行に延在させた複数の誘導溝１０が並設されている。この誘導溝１０は、図３にも示されるように、溝巾（Ｗ１）が約１ｍｍ程度に形成され、また、隣り合う誘導溝１０と誘導溝１０との間の巾（Ｗ２）も約１ｍｍ程度に形成されている。
誘導溝１０が形成される範囲は、第２の半円錐面６の全体に形成されるものであってもよいが、この例では、水切り装置１（分割部材２）を電線１０２に取付けた際に下側となる一部の部分に形成されている。
【００３１】
さらに、それぞれの分割部材２は、他方の分割部材２と対峙する側と反対側（対峙面３と反対側）の外周面が部分的に平坦面２０に形成されている。この例では、第１の半円錐面５の中間部から第２の半円錐面６の末端にかけて、対峙面３と平行に平坦面２０が形成されている。そして、この平坦面２０に締結ボルト２１を挿通させるための通孔２２が形成されている。
【００３２】
この通孔２２は、係合溝４と干渉しないように係合溝４の両側となる２箇所に形成されている。締結ボルト２１は、２つの分割部材２で電線１０２を挟み込んだ状態でこの一対の分割部材２の通孔２２に一方の分割部材２から挿通させた場合に先端が他方の分割部材２から突出する程度の長さに形成され、この締結ボルト２１の先端部にナット２３を螺合させて互いの分割部材２を締め付けるようにしている。この締結ボルト２１とナット２３とにより、２つの分割部材２を電線１０２を挟み込んだ状態で固定する結合手段が構成されている。
【００３３】
また、２つの分割部材を互いの係合溝に電線を収容するように互いの対峙面で電線を挟み込む場合に、分割部材間に隙間が形成されないように間に弾性部材３０を介在させている。
この弾性部材３０は、図２（ｂ）に示されるように、分割部材２の対峙面３の形状に合わせた、例えば、ゴム素材のシート状のもので、分割部材の係合溝４の両側のそれぞれにおいて対峙面全体と密接できるような形状に形成され、分割部材２の通孔２２と整合する位置に通孔３１が形成されている。
【００３４】
したがって、２つの分割部材２は、それぞれの対峙面３を略鉛直にした状態で電線１０２を挟み込むと共に、電線１０２の上側および下側において、間に弾性部材３０を互いの通孔２２，３１の位置を整合させると共に、弾性部材３０の外縁を分割部材２の外縁に一致させつつ挟み込み、分割部材２と弾性部材３０の通孔２２，３１に締結ボルト２１を挿通させてナット２３を螺合させて締付ければ、２つの分割部材２は弾性部材３０を介して気密に突き合わされて固定される。
【００３５】
以上の構成によれば、水切り装置１を逆吊クランプ１１０−２より上側（上流側）となる電線１０２の部位に第１の半円錐面５を第２の半円錐面６より上側となるように取り付けると、上側から電線を伝って流れてきた水は、図４に示されるように、水切り装置１に差し掛かると、第１の半円錐面５の表面を伝って流れるので、電線１０２の勾配よりも大きい勾配の面を下方へ向かって流れるようになり、その後、第２の半円錐面６に差し掛かると、さらに勾配の大きい面を下方へ向かって流れるので、水切り装置１の表面を伝って下方へ流れる水は、落下しやすいものとなる。
【００３６】
しかも、第２の半円錐面６の下部には、鉛直方向に延びる誘導溝１０（対峙面３と平行に延在する溝）が複数形成されているので、第２の半円錐面６に差し掛かった水を下方に向けて誘導しやすくなり、速やかに下方へ移動させることができ、水切り装置１の表面を伝って流れる水の落下を促進させることが可能となる。
【００３７】
また、２つの分割部材２の間に弾性部材３０を介在させて気密に付き合わせるようにしたので、２つの分割部材２の間の隙間を介して水切り装置１より下流側の電線へ流れようとする水を確実に遮ることができ、逆吊クランプ１１０−２へ導かれる水を確実に遮ることが可能となる。その結果、引留クランプ１１０の腐食を効果的に遅らすことが可能となる。
【００３８】
なお、上述の構成例においては、クランプとしてボルト締付け型の例を示したが、楔型の引留クランプを用いた場合においても、同様の水切り装置を取付けることで、同様の効果を得ることが可能となる。
【符号の説明】
【００３９】
１  水切り装置
２  分割部材
４  係合溝
５  第１の半円錐面
６  第２の半円錐面
１０  誘導溝
２０  平坦面
２１  締結ボルト
２３  ナット
３０  弾性部材
１０２  電線
【図１】
2017055471.tif 000003
【図２】
2017055471.tif 000004
【図３】
2017055471.tif 000005
【図４】
2017055471.tif 000006
【図５】
2017055471.tif 000007